(57)【要約】  【課題】送信権管理装置を備えたデマンドアサインTDMA通信伝送システムでは、各端末間の伝送路状態が異なり伝送路状況によっては効率的な通信ができない。  【解決手段】他の端末との間の伝送路情報を取得する伝送路情報取得手段２３１と、取得した伝送路情報に基づいて他の端末と通信する際の伝送条件を決定する伝送条件決定手段２３２とを有する複数の端末２１０〜２１ｎと、各端末間で信号を送受信する時間帯を管理し割り当てる送信権管理装置２２０と、端末２１０〜２１ｎおよび送信権管理装置２２０のそれぞれを互いに通信させる伝送路２４０とを備える。【選択図】図１
2006013801.tif 000002
【特許請求の範囲】
【請求項１】
信号を送受信する複数の端末と、
前記各端末間で信号を送受信する時間帯を管理し割り当てる送信権管理装置と、
前記複数の端末および前記送信権管理装置のそれぞれを互いに通信させる伝送路とを備える伝送システムにおいて、
前記複数の端末のそれぞれは、
それぞれの他の端末との間の伝送路情報を取得する伝送路情報取得手段と、
取得した前記伝送路情報に基づいて、他の端末と通信する際の伝送条件を決定する伝送条件決定手段とを有する、伝送システム。
【請求項２】
前記伝送路情報取得手段は、複数の伝送仕様のそれぞれについて、他の端末との間の伝送路状態を検査する伝送路状態検査部であり、
前記伝送条件決定手段は、前記伝送路状態検査部で得られた伝送路状態の検査結果に基づいて、前記伝送条件を決定する、請求項１に記載の伝送システム。
【請求項３】
前記複数の端末のそれぞれは、さらに、
決定した前記伝送条件の情報を送信先の端末に送信する伝送条件送信手段と、
送信元の端末から送信されてくる伝送条件の情報を受信する伝送条件受信手段とを有し、
送信元の端末は、送信先の端末に伝送データを送信する前に前記伝送条件の情報を送信し、前記伝送条件を用いて前記伝送データを前記送信先の端末に送信する、請求項１または２に記載の伝送システム。
【請求項４】
前記複数の伝送仕様は、異なる周波数帯を使用する複数の伝送方法である、請求項２に記載の伝送システム。
【請求項５】
前記複数の伝送仕様は、異なる変調方式および伝送帯域幅の組み合わせによる複数の伝送方法である、請求項２に記載の伝送システム。
【請求項６】
前記伝送路状態は、伝送速度であり、
決定される前記伝送条件は、検査した伝送路状態のうちで伝送速度が最も速くなる条件である、請求項２に記載の伝送システム。
【請求項７】
前記伝送路状態検査部は、一定期間ごとに、それぞれの他の端末との間の伝送路状態を繰り返し検査する、請求項２に記載の伝送システム。
【請求項８】
前記伝送路は、複数の同軸ケーブルと、一の同軸ケーブルの信号を他の複数の同軸ケーブルの信号に分岐させる分配器とを有する、請求項１に記載の伝送システム。
【請求項９】
信号を送受信する複数の端末と、
前記各端末間で信号を送受信する時間帯を管理し割り当てる送信権管理装置と、
前記複数の端末および前記送信権管理装置のそれぞれを互いに通信させる伝送路とを備える伝送システムの伝送方法において、
前記複数の端末のそれぞれは、
それぞれの他の端末との間の伝送路情報を取得するステップと、
取得した前記伝送路情報に基づいて、他の端末と通信する際の伝送条件を決定するステップとを有する、伝送方法。
【請求項１０】
請求項１に記載の伝送システムの複数の端末のそれぞれの、
それぞれの他の端末との間の伝送路情報を取得する前記伝送路情報取得手段、
および、取得した前記伝送路情報に基づいて、他の端末と通信する際の伝送条件を決定する前記伝送条件決定手段、としてコンピュータを機能させるためのプログラム。
【請求項１１】
請求項１０に記載のプログラムを担持した記録媒体であって、コンピュータで利用可能な記録媒体。
【請求項１２】
複数の他のそれぞれの端末との間の伝送路情報を取得する伝送路情報取得手段と、
取得した前記伝送路情報に基づいて、他の端末と通信する際の伝送条件を決定する伝送条件決定手段とを備えた、時分割多重通信用端末。
【発明の詳細な説明】
【技術分野】
【０００１】
本発明は、デマンドアサインＴＤＭＡ(Demand Assignment TimeDivision Multiple Access)通信を行う伝送システム、伝送方法および端末に関するものである。例えば、ＬＡＮシステム等の伝送帯域を共有し、収容する装置とその端末に対して送信権を管理する送信権管理装置を備えた伝送システム、伝送方法およびこれらに使用される端末に関するものである。
【背景技術】
【０００２】
以下、従来のデマンドアサインＴＤＭＡ通信を行う伝送システムの実施の形態について、図面を参照しながら説明する。
【０００３】
デマンドアサインＴＤＭＡ通信は、伝送路を時間的に分割して伝送用のタイムスロットを構成し、タイムスロットの各々を複数の端末に割り当てる通信方式として広く知られている。この通信方式では、伝送路の基本周期であるＴＤＭＡフレームが多数のタイムスロットに時間的に分割されており、各端末がこれらのタイムスロットのいずれかを用いて相手端末へ情報を伝送する。相手端末は、多数のタイムスロットの中から自分宛てのタイムスロットを選択して情報を受信する。
【０００４】
ＴＤＭＡ通信では、複数の端末が同一のタイムスロットを同時に使用した場合、複数の信号が互いに衝突して正しい伝送ができなくなる。このため、いずれか一つの端末が使用中のタイムスロットは、他の端末が使用しないようにする必要がある。デマンドアサインＴＤＭＡ通信では、この対策として、個々の端末に発呼の都度、空きスロットを選択して割り当てる（例えば、特許文献１参照）。
【０００５】
図９は、従来例の、デマンドアサインＴＤＭＡ通信を利用したＬＡＮシステムの構成ブロック図である。
【０００６】
図９のＬＡＮシステムは、端末７１１〜７１ｎ、送信権管理装置７２、端末７１１〜７１ｎと送信権管理装置７２を接続する単一の周波数帯域を使用する同軸伝送路７３で構成されている。
【０００７】
端末７１１〜７１ｎは、それぞれ、同軸伝送路７３から他の端末７１１〜７１ｎや送信権管理装置７２の信号を受信する受信部７４１、同軸伝送路７３へ他の端末７１１〜７１ｎや送信権管理装置７２への信号を送信する送信部７４２、送信先情報と送信元情報から送信要求情報を生成する送信要求生成部７４３、受信部７４１で受信した送信権情報により伝送情報の送受信を制御する送受信伝送制御部７４４を備えている。
【０００８】
送信権管理装置７２は、同軸伝送路７３から各端末７１１〜７１ｎの信号を受信する受信部７５１、同軸伝送路７３へ各端末７１１〜７１ｎへの信号を送信する送信部７５２、受信部７５１で受信した信号から端末７１１〜７１ｎの送信要求情報を抽出し、送信先の端末情報と送信元の端末情報から送信権割当を処理する送信権割当処理部７５３、送信権割当処理部７５３で割当てられた送信権から送信権を要求してきた端末７１１〜７１ｎへの送信権情報を生成する送信権情報生成部７５４を備えている。
【０００９】
図１０は、図９に示すＬＡＮシステムのタイムフレームである。
【００１０】
タイムフレームは、端末が送信要求を送信する送信要求期間８１、送信権管理装置で割当てた送信権情報を送信する送信権通知期間８２、端末が情報を伝送する情報伝送期間８３のフレームで構成される。１つの端末に割当てられた他の端末との情報伝送期間が１つのフレームを構成しており、情報伝送期間８３は、各端末におけるこの情報伝送期間を示す複数のフレームで構成されている。ここでは、端末７１１に割当てられた端末７１１と端末７１２間の情報伝送期間を示すフレームを８４とする。
【００１１】
図１１は、図９に示すＬＡＮシステムの送信要求情報の構成である。
【００１２】
送信要求情報は、送信先端末情報９１（端末ＩＤ等）と、送信元端末情報９２（端末ＩＤ等）で構成されている。
【００１３】
図１２は、図９に示すＬＡＮシステムの送信権情報の構成である。
【００１４】
送信権情報は、各端末ごとの、割当てられた送信権の送信先端末情報１０１（端末ＩＤ等）、割当てられた送信権の送信元端末情報１０２（端末ＩＤ等）、割当てられた送信期間情報１０３の複数の組み合わせで構成されている。
【００１５】
以下に、図９に示すＬＡＮシステムで、端末７１１から端末７１２へ伝送を行う場合の、端末７１１〜７１ｎと送信権管理装置７２における動作について説明する。
【００１６】
端末７１１は、送信要求生成部７４３で、送信先である端末７１２の送信先端末情報９１（端末ＩＤ等）と、送信元である自端末７１１の送信元端末情報９２から送信要求情報を生成する。そして、送信要求期間１７１に、送信部７４２は、送信要求情報を、同軸伝送路７３を通して、送信権管理装置７２へ送信する。
【００１７】
送信権管理装置７２は、受信部７５１で、同軸伝送路７３からの伝送情報を受信する。そして、送信権割当処理部７５３で、送信要求期間８１に受信した伝送情報から送信要求情報を抽出し、送信先端末情報９１（この場合は端末７１２）と送信元端末情報９２（この場合は端末７１１）から端末７１１〜７１ｎ（この場合は端末７１１）への送信権の割当処理を行う。送信権割当処理部７５３は、同様に、他の各端末間（端末７１１〜７１ｎと自端末以外の端末７１１〜７１ｎ間）の送信権の割当処理も行なう。
【００１８】
そして、送信権情報生成部７５４において、送信権割当処理部７５３で割当てられた送信権から、送信先端末情報１０１と送信元端末情報１０２と送信期間情報１０３とで構成される端末７１１〜７１ｎへの送信権情報（図１２参照）を生成する。そして、送信部７５２は、送信権通知期間８２に、この送信権情報を、同軸伝送路７３を通して、端末７１１〜７１ｎへ送信する。
【００１９】
端末７１１は、送信権通知期間８２に、受信部７４１で、同軸伝送路７３からの送信権情報を受信する。そして、送信先端末情報１０１と送信元端末情報１０２と送信期間情報１０３で割当てられた、情報伝送期間８３の内の端末７１１と端末７１２間の情報伝送期間８４に、送信部７４２が同軸伝送路７３を通して端末７１２へ伝送情報を送信するように、送受信伝送制御部７４４が制御する。
【００２０】
一方、端末７１２は、送信権通知期間８２に、受信部７４１で、同軸伝送路７３からの送信権情報を受信する。そして、送信先端末情報１０１と送信元端末情報１０２と送信期間情報１０３で割当てられた情報伝送期間８３の内の端末７１１と端末７１２間の情報伝送期間８４に、受信部７４１が端末７１１からの伝送情報を受信するように、送受信伝送制御部７４４が制御する。
【００２１】
このようにして、端末７１１〜７１ｎが送信要求を送信権管理装置７２に送信し、送信権管理装置７２が送信要求により送信権の割当を行うことにより、各端末間での情報の伝送が行える。
【特許文献１】特開平２−１８３６４４号公報
【発明の開示】
【発明が解決しようとする課題】
【００２２】
しかしながら、上記した従来の伝送制御方法では、端末間の通信は、決められた伝送条件によってのみ通信されるので、必ずしも最適な通信条件で通信されるとはいえない。例えば、変調方式や周波数帯などの違いで、より伝送効率の高い伝送条件があっても、その伝送条件による通信ができない。
【００２３】
伝送効率の高い伝送条件は、どの端末間においても同一の条件であるとは限らず、端末間ごとに、その条件が異なる場合がある。
【００２４】
特に、同軸ケーブルによるネットワークでは、分配器を介することにより、その減衰量が非常に大きくなる。そして、減衰量の大きな端末間では、変調方式の違いにより伝送品質が異なり、端末間によって、伝送品質のよい条件が異なる。同様に、周波数帯の違いによって伝送品質が異なり、端末間によって、伝送品質のよい周波数帯の条件が異なり、低い周波数帯ほど伝送品質がよくなるとは限らない。
【００２５】
一般家庭には、通常、テレビを見るための、同軸ケーブルのネットワークが備えられている。このネットワークを使用できれば、容易にかつ安価にネットワーク環境を構築することが可能となる。伝送品質のよい伝送条件で各端末間の通信を行わせるようにすれば、この一般家庭に備えられている同軸ケーブルのネットワークを、端末間の伝送のためのネットワークとして使用することが可能となる。
【００２６】
本発明は、上記従来の課題を解決するもので、端末間ごとに、伝送効率の高い伝送条件を用いて通信できる、伝送システム、伝送方法および端末を提供することを目的とする。
【課題を解決するための手段】
【００２７】
上述した課題を解決するために、第１の本発明は、
信号を送受信する複数の端末と、
前記各端末間で信号を送受信する時間帯を管理し割り当てる送信権管理装置と、
前記複数の端末および前記送信権管理装置のそれぞれを互いに通信させる伝送路とを備える伝送システムにおいて、
前記複数の端末のそれぞれは、
それぞれの他の端末との間の伝送路情報を取得する伝送路情報取得手段と、
取得した前記伝送路情報に基づいて、他の端末と通信する際の伝送条件を決定する伝送条件決定手段とを有する、伝送システムである。
【００２８】
第２の本発明は、
前記伝送路情報取得手段は、複数の伝送仕様のそれぞれについて、他の端末との間の伝送路状態を検査する伝送路状態検査部であり、
前記伝送条件決定手段は、前記伝送路状態検査部で得られた伝送路状態の検査結果に基づいて、前記伝送条件を決定する、第１の本発明の伝送システムである。
【００２９】
第３の本発明は、
前記複数の端末のそれぞれは、さらに、
決定した前記伝送条件の情報を送信先の端末に送信する伝送条件送信手段と、
送信元の端末から送信されてくる伝送条件の情報を受信する伝送条件受信手段とを有し、
送信元の端末は、送信先の端末に伝送データを送信する前に前記伝送条件の情報を送信し、前記伝送条件を用いて前記伝送データを前記送信先の端末に送信する、第１または第２の本発明の伝送システムである。
【００３０】
第４の本発明は、
前記複数の伝送仕様は、異なる周波数帯を使用する複数の伝送方法である、第２の本発明の伝送システムである。
【００３１】
第５の本発明は、
前記複数の伝送仕様は、異なる変調方式および伝送帯域幅の組み合わせによる複数の伝送方法である、第２の本発明の伝送システムである。
【００３２】
第６の本発明は、
前記伝送路状態は、伝送速度であり、
決定される前記伝送条件は、検査した伝送路状態のうちで伝送速度が最も速くなる条件である、第２の本発明の伝送システムである。
【００３３】
第７の本発明は、
前記伝送路状態検査部は、一定期間ごとに、それぞれの他の端末との間の伝送路状態を繰り返し検査する、第２の本発明の伝送システムである。
【００３４】
第８の本発明は、
前記伝送路は、複数の同軸ケーブルと、一の同軸ケーブルの信号を他の複数の同軸ケーブルの信号に分岐させる分配器とを有する、第１の本発明の伝送システムである。
【００３５】
第９の本発明は、
信号を送受信する複数の端末と、
前記各端末間で信号を送受信する時間帯を管理し割り当てる送信権管理装置と、
前記複数の端末および前記送信権管理装置のそれぞれを互いに通信させる伝送路とを備える伝送システムの伝送方法において、
前記複数の端末のそれぞれは、
それぞれの他の端末との間の伝送路情報を取得するステップと、
取得した前記伝送路情報に基づいて、他の端末と通信する際の伝送条件を決定するステップとを有する、伝送方法である。
【００３６】
第１０の本発明は、
第１の本発明の伝送システムの複数の端末のそれぞれの、
それぞれの他の端末との間の伝送路情報を取得する前記伝送路情報取得手段、
および、取得した前記伝送路情報に基づいて、他の端末と通信する際の伝送条件を決定する前記伝送条件決定手段、としてコンピュータを機能させるためのプログラムである。
【００３７】
第１１の本発明は、
第１０の本発明のプログラムを担持した記録媒体であって、コンピュータで利用可能な記録媒体である。
【００３８】
第１２の本発明は、
複数の他のそれぞれの端末との間の伝送路情報を取得する伝送路情報取得手段と、
取得した前記伝送路情報に基づいて、他の端末と通信する際の伝送条件を決定する伝送条件決定手段とを備えた、時分割多重通信用端末である。
【発明の効果】
【００３９】
本発明により、端末間ごとに、伝送効率の高い伝送条件を用いて通信できる、伝送システム、伝送方法および端末を提供できる。
【発明を実施するための最良の形態】
【００４０】
以下、本発明の実施の形態を、図面を参照しながら説明する。
【００４１】
まず、本発明の伝送システムの理解を容易にするために、本発明の特徴について説明する。図１は、本発明の特徴を説明するための、伝送システムの概要ブロック図である。
【００４２】
図１に示す伝送システムは、複数の端末２１０〜２１ｎと送信権管理装置２２０が、伝送路２４０に接続されている。各端末２１０〜２１ｎは、他の端末２１０〜２１ｎとの通信のための時間を送信権管理装置２２０に要求し、送信権管理装置２２０は、各端末間の通信のための時間帯の割り当てをし、その割り当てた時間帯（送信権）を各端末２１０〜２１ｎに通知する。そして、各端末２１０〜２１ｎは、その割り当てられた時間帯に他の端末との通信を行う。
【００４３】
以上の構成および動作は、一般的なデマンドアサインＴＤＭＡ通信を行う伝送システムの構成および動作であるが、本発明の伝送システムは、それぞれの端末２１０〜２１ｎが、以下の特徴的な手段を備えている。
【００４４】
特徴的な手段として、端末２１０〜２１ｎは、それぞれ、伝送路情報取得手段２３１および伝送条件決定手段２３２を備えている。
【００４５】
伝送路情報取得手段２３１は、伝送路２４０を介した他の端末との間の伝送路における、複数の伝送条件のそれぞれについての伝送路情報を取得する。伝送路情報とは、他の端末との間における伝送路の状態や性能を示す情報である。そして、伝送条件決定手段２３２が、取得した複数の伝送路情報のうち、他の端末ごとの通信のために最適な伝送路情報を選択し、他の端末ごとの通信に用いる伝送条件を決定する。
【００４６】
本発明の伝送システムの特徴は、各端末２１０〜２１ｎが、他の端末２１０〜２１ｎとの間の通信で使用する伝送条件を、他の端末ごとに決定する点である。
【００４７】
以下、本発明の伝送システムの、具体的な実施の形態について説明する。
【００４８】
（実施の形態１）
図２は、本発明の実施の形態１の同軸伝送システムの構成ブロック図である。
【００４９】
本実施の形態１の同軸伝送システムは、端末１１１〜１１ｎ、送信権管理装置１２、端末１１１〜１１ｎと送信権管理装置１２を接続する複数の周波数帯域を使用する同軸伝送路１３で構成されている。なお、端末１１１〜１１ｎとは、２台以上の同じ構成の複数の端末を示しており、その台数に特に制限はない。
【００５０】
ここで、同軸伝送路１３には、一般家庭に設けられている、テレビ用に敷設された同軸ケーブルのネットワークを用いている。したがって、端末１１１〜１１ｎ、および送信権管理装置１２は、同軸ケーブルと分配器を介して接続されている。
【００５１】
端末１１１〜１１ｎは、それぞれ、同軸伝送路１３から他の端末１１１〜１１ｎや送信権管理装置１２の信号を受信する受信部１４１、同軸伝送路１３へ他の端末１１１〜１１ｎや送信権管理装置１２への信号を送信する送信部１４２、自端末以外の他の端末１１１〜１１ｎとの間での伝送路状態を検査する伝送路状態検査部１４３、伝送路状態検査部１４３に伝送路状態を検査する指示を行う伝送路状態検査制御部１４４、伝送路状態検査部１４３で検査した複数の周波数帯域の伝送路状態を保持する伝送路状態保持部１４５、送信先情報と送信元情報から送信要求情報を生成する送信要求生成部１４６、受信部１４１を利用して送信権情報を取得する割当時間取得部１４９、割当時間取得部１４９で取得した送信権情報に基づいて伝送情報の送受信を制御する送受信伝送制御部１４７を備えている。
【００５２】
また、送受信伝送制御部１４７は、受信部１４１で受信した送信権情報と伝送路状態保持部１４５で保持される伝送路情報から送受信を行う周波数帯を決定する伝送条件決定部１６０を有している。なお、伝送条件決定部１６０は、本発明の伝送条件決定手段の一例である。
【００５３】
また、送受信伝送制御部１４７は、送信部１４２と受信部１４１の使用周波数帯を、その決定した周波数帯に切り替える周波数帯切替部１４８も有している。
【００５４】
送信権管理装置１２は、同軸伝送路１３から各端末１１１〜１１ｎの信号を受信する受信部１５１、同軸伝送路１３へ各端末１１１〜１１ｎへの信号を送信する送信部１５２、受信部１５１で受信した信号から端末１１１〜１１ｎの送信要求情報を抽出し、送信先の端末情報と送信元の端末情報から送信権割当を処理する送信権割当処理部１５３、送信権割当処理部１５３で割当てられた送信権から送信権を要求してきた端末１１１〜１１ｎへの送信権情報を生成する送信権情報生成部１５４を備えている。
【００５５】
図３は、本実施の形態１の同軸伝送システムのタイムフレームである。
【００５６】
本実施の形態１のタイムフレームは、端末間での伝送路状態を検査する伝送路検査期間２１、端末が送信要求を送信する送信要求期間２２、送信権管理装置１２で割当てた送信権情報を送信する送信権通知期間２３、端末が情報を伝送する情報伝送期間２４の各フレームで構成される。１つの端末に割当てられた他の端末との情報伝送期間が１つのフレームを構成しており、情報伝送期間２４は、各端末におけるこの情報伝送期間を示す複数のフレームで構成されている。情報伝送期間２４の内の２５の部分のフレームが、端末１１１に割当てられた端末１１１と端末１１２間の情報伝送期間を示すフレームである。
【００５７】
図４は、本実施の形態１の同軸伝送システムの送信要求情報の構成である。
【００５８】
送信要求情報は、送信先端末情報３１（端末ＩＤ等）と、送信元端末情報３２（端末ＩＤ等）で構成されている。
【００５９】
図５は、本実施の形態１の同軸伝送システムの送信権情報の構成である。
【００６０】
送信権情報は、各端末間ごとの、割当てられた送信権の送信先端末情報４１（端末ＩＤ等）と、割当てられた送信権の送信元端末情報４２（端末ＩＤ等）と、割当てられた送信期間情報４３の、複数の組み合わせで構成されている。
【００６１】
図６は、本実施の形態１の同軸伝送システムの使用周波数帯域を示している。使用される周波数帯域は、周波数帯域３０１〜３０ｎで構成されている。
【００６２】
次に、本実施の形態１の同軸伝送システムで、端末１１１から端末１１２へ伝送を行う場合の、端末１１１〜１１ｎと送信権管理装置１２における動作について説明する。
【００６３】
同軸ケーブルによるネットワークは、分配器を介することにより、その減衰量は非常に大きくなる。そして、減衰量の大きな端末間では、変調方式の違いにより伝送品質が異なり、端末間によって、伝送品質のよい条件が異なる。同様に、周波数帯の違いによって伝送品質が異なり、端末間によって、伝送品質のよい周波数帯の条件は異なり、必ずしも低い周波数帯ほど伝送品質がよくなるとは限らない。
【００６４】
したがって、各端末間での使用周波数帯の伝送路状態が異なることによって、送信権管理装置１２が割当てた送信可能な期間で送信できる伝送量が増減するため、情報の伝送が遅延したり、最悪の場合は伝送が行えなくなってしまう。また、送信権管理装置１２が各端末に効率的に送信期間を割り当てた場合でも、伝送路の状況によって、実際は効率的な通信ができなくなってしまう。
【００６５】
そこで、本実施の形態１の同軸伝送システムでは、端末間ごとに、伝送路状態を検査し、伝送品質のよい伝送条件を選択し、その伝送条件を用いることにより、伝送品質または伝送効率の高い伝送を行えるようにしている。
【００６６】
端末１１１は、まず、端末１１２〜１１ｎとの間での同軸伝送路１３の周波数帯域毎の伝送路情報を保持するために、周波数帯域毎の伝送路状態の検査を行う。そして、その伝送路状態の検査結果を伝送路情報として伝送路状態保持部１４５に保持する。同様に、端末１１２〜１１ｎも、他の端末との間での同軸伝送路１３の周波数帯域毎の伝送路情報を保持するために伝送路状態の検査を行う。
【００６７】
端末１１１の伝送路状態検査部１４３は、伝送路状態検査制御部１４４の指示により、伝送路検査期間２１に、周波数帯域３０１に変調効率（変調方式と伝送帯域幅）が最も高い検査情報を、同軸伝送路１３を通して端末１１２〜１１ｎへ、送信部１４２から送信させる。
【００６８】
一方、端末１１２〜１１ｎでは、受信部１４１で、伝送路検査期間２１に同軸伝送路１３から検査情報を受信する。そして、伝送路状態検査部１４３で、受信した情報に誤りがないかの検査を行い、情報に誤りがない場合は「検査完了」情報を、情報に誤りがある場合は「検査未完了」情報を検査結果情報として、送信部１４２から端末１１１へ送信する。
【００６９】
次に、端末１１１は、受信部１４１で、端末１１２〜１１ｎからの検査結果情報を受信する。そして、検査結果情報が「検査完了」の場合、伝送路状態保持部１４５に検査が完了した時点の変調効率を伝送路情報として保持する。検査結果情報が「検査未完了」の場合、伝送路状態検査部１４３は、伝送路状態検査制御部１４４の指示により、変調効率を下げた検査情報を送信部１４２から端末１１２〜１１ｎへ送信する。「検査完了」の検査結果情報を受信するまで、繰り返しこの検査動作を行う。
【００７０】
次に、端末１１１の伝送路状態検査部１４３は、伝送路状態検査制御部１４４の指示により、伝送路検査期間２１に、周波数帯域３０２〜３０ｎで同様に伝送路状態を検査し、伝送路状態保持部１４５に周波数帯域毎の伝送路情報を保持する。
【００７１】
なお、上記の検査方法は一例であり、適切な変調効率が検出できれば方法は問わない。また、上記の検査方法では、伝送路情報を変調効率としたが、単位時間当たりの伝送速度としても良く、伝送路状態が表現できる情報であれば良い。なお、変調方式と伝送帯域幅の組み合わせは、本発明の伝送仕様の一例である。
【００７２】
次に、端末１１１は、送信要求生成部１４６で、送信先である端末１１２の送信先端末情報３１と送信元である自端末１１１の送信元端末情報３２とから送信要求情報を生成する。そして、送信部１４２から、送信要求期間２２に同軸伝送路１３を通して、送信権管理装置１２へ、この送信要求情報を送信する。
【００７３】
送信権管理装置１２は、同軸伝送路１３から受信部１５１で伝送情報を受信する。そして、送信権割当処理部１５３は、送信要求期間２２に受信した伝送情報から送信要求情報を抽出し、送信先端末情報３１（この場合は端末１１２）と送信元端末情報３２（この場合は端末１１１）から端末１１１〜１１ｎ（この場合は端末１１１）への送信権の割当処理を行う。そして、送信権情報生成部１５４で、送信権割当処理部１５３で割当てられた送信権から、送信先端末情報４１（この場合は端末１１２）と送信元端末情報４２（この場合は端末１１１）と送信期間情報４３とで構成される端末１１１〜１１ｎ（この場合は端末１１１）への送信権情報を生成する。送信部１５２は、送信権通知期間２３に、同軸伝送路１３を通して端末１１１〜１１ｎへ、この送信権情報を送信する。
【００７４】
端末１１１は、割当時間取得部１４９が、受信部１４１を利用して、送信権通知期間２３に同軸伝送路１３から送信権情報を取得する。そして、その送信権情報が送受信伝送制御部１４７に渡され、伝送条件決定部１６０は、送信権情報の送信先端末情報４１および送信元端末情報４２と、伝送路状態保持部１４５で保持されている端末１１２との間の周波数帯毎の伝送路情報とから、伝送効率が最も高い周波数帯域を選択する。そして、送受信伝送制御部１４７は、周波数帯切替部１４８に周波数の切り替えの指示をする。ここで、伝送効率が最も高い周波数帯域の選択とは、例えば伝送速度が最も速い周波数帯域を選択する。なお、ここで選択される伝送効率が最も高い周波数帯域が、本発明の、決定する伝送条件の一例である。
【００７５】
そして、送信期間情報４３から得られる情報伝送期間２４内の端末１１１と端末１１２間の情報伝送期間２５に、指示のあった伝送効率が最も高い周波数帯域で、送信部１４２が同軸伝送路１３を通して端末１１２へ伝送情報を送信できるように、周波数帯切替部１４８は、送信部１４２の送信周波数帯を切り替える。
【００７６】
端末１１２は、割当時間取得部１４９が、受信部１４１を利用して、送信権通知期間２３に同軸伝送路１３から送信権情報を取得する。そして、その送信権情報が送受信伝送制御部１４７に渡され、伝送条件決定部１６０は、送信権情報の送信先端末情報４１および送信元端末情報４２と、伝送路状態保持部１４５で保持されている端末１１１との間の周波数帯毎の伝送路情報とから、端末１１１と同じ判断基準で、伝送効率が最も高い周波数帯域を選択する。そして、送受信伝送制御部１４７は、周波数帯切替部１４８に周波数の切り替えの指示をする。なお、ここで選択される伝送効率が最も高い周波数帯域が、本発明の、決定する伝送条件の一例である。
【００７７】
そして、送信期間情報４３から得られる情報伝送期間２４内の端末１１１と端末１１２間の情報伝送期間２５に、指示のあった伝送効率が最も高い周波数帯域で、受信部１４１が同軸伝送路１３を通して端末１１１から伝送情報を受信できるように、周波数帯切替部１４８は、受信部１４１の送信周波数帯を切り替える。
【００７８】
以上のように、本実施の形態１の同軸伝送システムでは、端末間で使用周波数帯毎の伝送路状態を検査し、検査結果を端末が使用周波数帯域毎に保持する。端末は送信要求を送信権管理装置に送信し、送信権割当装置の送信権割当処理部で、送信権割当の処理を行い、端末に通知する。端末は、送信権を与えられた期間に、伝送を行う端末間の使用周波数帯域毎の伝送路情報を考慮し、最も伝送効率の高い伝送周波数帯域を決定することにより、伝送路状況に対応した伝送効率のよい通信が行える。
【００７９】
（実施の形態２）
図７は、本発明の実施の形態２の同軸伝送システムの構成ブロック図である。なお、実施の形態１の同軸伝送システムと同じ機能を有する構成の部分には同一の番号を付し、その説明を省略する。
【００８０】
端末１１１〜１１ｎは、それぞれ、実施の形態１の端末の構成に加えて、送受信伝送制御部２４７の伝送条件決定部１６０で選択された使用周波数帯から送信に使用する周波数帯情報を生成する送信周波数情報生成部５１と、受信部１４１で受信した送信周波数情報から受信を行う周波数帯を取得する受信周波数情報取得部５２とを備えている。
【００８１】
また、送受信伝送制御部２４７は、受信部１４１で伝送情報を受信する周波数帯を受信周波数情報取得部５２で取得した周波数帯に切り替えるように、周波数帯切替部１４８に指示する。
【００８２】
本実施の形態２の同軸伝送システムのタイムフレームは、図３に示す実施の形態１のタイムフレームと同一構成である。
【００８３】
図８は、本実施の形態２の同軸伝送システムの情報伝送フレームの構成である。情報伝送フレームは、端末間で情報を伝送するためのフレームである。
【００８４】
この情報伝送フレームは、使用周波数情報６１と伝送情報６２で構成される。
【００８５】
本実施の形態２の同軸伝送システムの送信要求情報は、図４に示す実施の形態１の送信要求情報と同一構成である。
【００８６】
本実施の形態２の同軸伝送システムの送信権情報は、図５に示す実施の形態１の送信権情報と同一構成である。
【００８７】
次に、端末１１１から端末１１２へ伝送を行う場合の、端末１１１〜１１ｎと送信権管理装置１２における動作について説明する。なお、実施の形態１の場合と同じ動作の部分は、その説明を省略する。
【００８８】
端末１１１は、まず、端末１１２〜１１ｎとの間での同軸伝送路１３の周波数帯域毎の伝送路情報を保持するために周波数帯域毎の伝送路状態の検査を行う。そして、その伝送路状態の検査結果を伝送路情報として伝送路状態保持部１４５に保持する。同様に、端末１１２〜１１ｎも他の端末との間での同軸伝送路１３の周波数帯域毎の伝送路情報を保持するために伝送路状態の検査を行う。
【００８９】
次に、端末１１１は、送信要求生成部１４６で、送信先である端末１１２の送信先端末情報３１と送信元である自端末１１１の送信元端末情報３２とから送信要求情報を生成する。そして、送信部１４２から、送信要求期間２２に同軸伝送路１３を通して、送信権管理装置１２へ、この送信要求情報を送信させる。
【００９０】
送信権管理装置１２は、同軸伝送路１３から受信部１５１で伝送情報を受信する。そして、送信権割当処理部１５３は、送信要求期間２２に受信した伝送情報から送信要求情報を抽出し、送信先端末情報３１（この場合は端末１１２）と送信元端末情報３２（この場合は端末１１１）から、端末１１１〜１１ｎ（この場合は端末１１１）への送信権の割当処理を行う。そして、送信権情報生成部１５４で、送信権割当処理部１５３で割当てられた送信権から、送信先端末情報４１（この場合は端末１１２）と送信元端末情報４２（この場合は端末１１１）と送信期間情報４３とで構成される端末１１１〜１１ｎ（この場合は端末１１１）への送信権情報を生成する。送信部１５２は、送信権通知期間２３に、同軸伝送路１３を通して端末１１１〜１１ｎへ、この送信権情報を送信する。
【００９１】
端末１１１は、割当時間取得部１４９が、受信部１４１を利用して、送信権通知期間２３に同軸伝送路１３から送信権情報を取得する。そして、その送信権情報が送受信伝送制御部２４７に渡され、伝送条件決定部１６０は、送信権情報の送信先端末情報４１および送信元端末情報４２と、伝送路状態保持部１４５で保持されている端末１１２との間の周波数帯毎の伝送路情報とから、伝送効率が最も高い周波数帯域を選択する。ここで、伝送効率が最も高い周波数帯域の選択とは、例えば伝送速度が最も速い周波数帯域を選択する。
【００９２】
そして、送受信伝送制御部２４７は、周波数帯切替部１４８に周波数の切り替えの指示をする。それとともに、送受信伝送制御部２４７は、送信周波数情報生成部５１に、送信に使用する周波数帯情報を生成させる。そして、送信周波数情報生成部５１は、図８に示す伝送情報６２が送信される前に、使用周波数情報６１を送信先の端末１１２に送信部１４２から送信させる。
【００９３】
そして、送信期間情報４３で示される情報伝送期間２４内の端末１１１と端末１１２間の情報伝送期間２５に、指示のあった伝送効率が最も高い周波数帯域で、送信部１４２が同軸伝送路１３を通して端末１１２へ周波数帯情報と伝送情報を送信できるように、周波数帯切替部１４８は、送信部１４２の送信周波数帯を切り替える。
【００９４】
端末１１２は、割当時間取得部１４９が、受信部１４１を利用して、送信権通知期間２３に同軸伝送路１３から送信権情報を取得する。そして、その送信権情報が送受信伝送制御部２４７に渡され、送受信伝送制御部２４７は、情報伝送期間２４内の端末１１１と端末１１２間の情報伝送期間２５に、端末１１１から送信されてくる図８に示す情報伝送フレームを、受信部１４１に受信させる。
【００９５】
そして、受信周波数情報取得部５２は、この情報伝送フレームに含まれる使用周波数情報６１を取得する。そして、その使用周波数情報６１が送受信伝送制御部２４７に渡され、送受信伝送制御部２４７は、情報伝送フレームに含まれる伝送情報６２を、受信周波数情報取得部５２で取得された使用周波数情報の周波数帯で受信できるように、周波数帯切替部１４８に周波数の切り替えの指示をする。そして、周波数帯切替部１４８が受信部１４１の受信周波数帯をその周波数帯に切り替え、受信部１４１は、その周波数帯で端末１１１からの伝送情報６２を受信する。
【００９６】
以上のように、本実施の形態２の同軸伝送システムでは、端末間で使用周波数帯毎の伝送路状態を検査し、検査結果を端末が使用周波数帯域毎に保持する。端末は送信要求を送信権管理装置に送信し、送信権管理装置の送信権割当処理部で、送信権割当の処理を行い、端末に通知する。端末は、送信権を与えられた期間に、伝送を行う端末間の使用周波数帯域毎の伝送路情報を考慮し、最も伝送効率の高い伝送周波数帯域を決定し、使用周波数帯域を送信先端末に通知することにより、受信端末の処理の簡略化を図るとともに、伝送効率のよい通信が行える。
【００９７】
以上に説明したように、各実施の形態の同軸伝送システムでは、複数の周波数帯域を使用し、端末で使用周波数帯の伝送路状態を保持し、送信権管理装置が端末からの送信要求に対して、複数の周波数帯域で送信権を端末に与え、端末が保持している送信先端末との間の周波数帯域毎の伝送路情報から使用する周波数帯域を決定することにより、データ通信を行う端末間で伝送効率の高い周波数帯域を選択してデータ通信を行うことが可能となり、テレビ会議やＩＰ電話等のリアルタイム性が要求される場合に伝送効率のよい通信が可能となる。
【００９８】
なお、各実施の形態では、伝送路状態を伝送速度として伝送効率の高い周波数帯域の伝送条件を選択したが、伝送路状態を伝送誤り率などとして信頼性の高い周波数帯域を選択させるようにしてもよい。伝送誤り率を伝送路状態として判断すると、信頼性の高い通信を実現できる。
【００９９】
なお、各実施の形態では、説明を容易にするために、伝送システムを同軸伝送システムとし、伝送路を同軸伝送路としたが、本発明は同軸伝送システム、同軸伝送路に限定されるものではなく、また、伝送路は有線、無線を問わない。
【０１００】
なお、本発明のプログラムは、上述した本発明の伝送システムの端末の、伝送路情報取得手段および伝送条件決定手段の機能をコンピュータにより実行させるためのプログラムであって、コンピュータと協働して動作するプログラムである。
【０１０１】
また、本発明の記録媒体は、上述した本発明の伝送システムの端末の、伝送路情報取得手段および伝送条件決定手段の機能をコンピュータにより実行させるためのプログラムを担持した記録媒体であり、コンピュータにより読み取り可能かつ、読み取られた前記プログラムが前記コンピュータと協働して利用される記録媒体である。
【０１０２】
また、本発明のプログラムは、上述した本発明の伝送システムの送信権管理装置の、割当要求受信部、送信権割当処理部、送信権情報送信部の機能をコンピュータにより実行させるためのプログラムであって、コンピュータと協働して動作するプログラムである。
【０１０３】
また、本発明の記録媒体は、上述した本発明の伝送システムの送信権管理装置の、割当要求受信部、送信権割当処理部、送信権情報送信部の機能をコンピュータにより実行させるためのプログラムを担持した記録媒体であり、コンピュータにより読み取り可能かつ、読み取られた前記プログラムが前記コンピュータと協働して利用される記録媒体である。
【０１０４】
また、本発明のプログラムの一利用形態は、コンピュータにより読み取り可能な記録媒体に記録され、コンピュータと協働して動作する態様であっても良い。
【０１０５】
また、記録媒体としては、ＲＯＭ等が含まれる。
【０１０６】
また、上述した本発明のコンピュータは、ＣＰＵ等の純然たるハードウェアに限らず、ファームウェアや、ＯＳ、更に周辺機器を含むものであっても良い。
【０１０７】
なお、以上説明した様に、本発明の構成は、ソフトウェア的に実現しても良いし、ハードウェア的に実現しても良い。
【産業上の利用可能性】
【０１０８】
伝送路の使用周波数帯域の情報を保持し、その情報により伝送路の送信権の割当処理を行うことで、使用環境に応じた効率的な通信環境を提供することによって、高画質な画像等の高品質、大容量を効率的に伝送することが不可欠な用途にも適応できる。
【図面の簡単な説明】
【０１０９】
【図１】本発明の特徴を説明するための、伝送システムの概要ブロック図
【図２】本発明の実施の形態１の同軸伝送システムの構成ブロック図
【図３】本発明の実施の形態１のタイムフレームを示す図
【図４】本発明の実施の形態１の送信要求情報の構成を示す図
【図５】本発明の実施の形態１の割当情報の構成を示す図
【図６】本発明の実施の形態１の使用周波数帯域を示す図
【図７】本発明の実施の形態２の同軸伝送システムの構成ブロック図
【図８】本発明の実施の形態２の情報伝送フレームを示す図
【図９】従来例の同軸伝送システムの構成ブロック図
【図１０】従来の伝送システムのタイムフレームを示す図
【図１１】従来の伝送システムの送信要求情報の構成を示す図
【図１２】従来の伝送システムの割当情報の構成を示す図
【符号の説明】
【０１１０】
１１１〜１１ｎ、７１１〜７１ｎ  端末
１２、７２  送信権管理装置
１３、７３  同軸伝送路
１４１、１５１、７４１、７５１  受信部
１４２、１５２、７４２、７５２  送信部
１４３  伝送路状態検査部
１４４  伝送路状態検査制御部
１４５  伝送路状態保持部
１４６、７４３  送信要求生成部
１４７、２４７、７４４  送受信伝送制御部
１４８  周波数帯切替部
１４９  割当時間取得部
１５３、７５３  送信権割当処理部
１５４、７５４  送信権情報生成部
１６０  伝送条件決定部
２１  伝送路検査期間
２２、８１  送信要求期間
２３、８２  送信権通知期間
２４、８３  情報伝送期間
２５  端末１１１と端末１１２間の情報伝送期間
３１、４１、９１、１０１  送信先端末情報
３２、４２、９２、１０２  送信元端末情報
４３、１０３  送信期間情報
５１  送信周波数情報生成部
５２  受信周波数情報取得部
６１  使用周波数情報
６２  伝送情報
８４  端末７１１と端末７１２間の情報伝送期間
【図１】
2006013801.tif 000003
【図２】
2006013801.tif 000004
【図３】
2006013801.tif 000005
【図４】
2006013801.tif 000006
【図５】
2006013801.tif 000007
【図６】
2006013801.tif 000008
【図７】
2006013801.tif 000009
【図８】
2006013801.tif 000010
【図９】
2006013801.tif 000011
【図１０】
2006013801.tif 000012
【図１１】
2006013801.tif 000013
【図１２】
2006013801.tif 000014